(57)【要約】【課題】この発明は、ホルムアルデヒド放散量試験において、ホルムアルデヒド放散量を０．１ｍｇ／リットル以下に低減することのできる添加剤とこの添加剤を用いた塗料及び粘着剤を提供する。【解決手段】この発明に係る添加剤は、塗料、インク、接着剤、絵の具、粘着剤等に添加され、ホルムアルデヒドを分解除去する添加剤であって、漂白効果を有する物質からなる第１群より選択された第１の材料、窒素官能化合物から選択された第２群より選択された第２の材料、前記第２群以外の窒素含有化合物からなる第３群より選択された第３の材料及び溶剤からなることにある。【選択図】    なし【特許請求の範囲】
【請求項１】
塗料、インク、接着剤、絵の具、粘着剤等に添加され、ホルムアルデヒドを分解除去する添加剤であって、
漂白効果を有する物質からなる第１群より選択された第１の材料、窒素官能化合物から選択された第２群より選択された第２の材料、前記第２群以外の窒素含有化合物からなる第３群より選択された第３の材料及び溶剤からなることを特徴とする添加剤。
【請求項２】
前記第１群は、次亜塩素酸ナトリウム、二酸化塩素、塩素酸ナトリウム、苛性ソーダ、過酸化水素、リン酸ナトリウム、リン酸水素カルシウムを少なくとも含み、
前記第２群は、コハク酸イミド、トリエタノールアミン、ε−カプロラクタム、Ｎ−メチル−２−ピロリドン及びテトラヒドロ−２−ピリミジノンを含み、
前記第３群は、エチレン尿素、２−ピロリドン、ＮＮジエチル尿素、βピコリンを少なくとも含むことを特徴とする請求項１記載の添加剤。
【請求項３】
前記第１の材料として二酸化塩素、前記第２の材料としてコハク酸イミド、第３の材料としてエチレン尿素を含むことを特徴とする請求項１記載の添加剤。
【請求項４】
前記第１の材料として二酸化塩素、前記第２の材料としてコハク酸イミド、第３の材料として２−ピロリドンを含むことを特徴とする請求項１記載の添加剤。
【請求項５】
前記第１の材料として次亜塩素酸ナトリウム、前記第２の材料としてコハク酸イミド、前記第３の材料としてエチレン尿素を含むことを特徴とする請求項１記載の添加剤。
【請求項６】
請求項３〜５のいずれか一つに記載の添加剤を、０．５ｗｔ％〜５％の範囲で含むことを特徴とする塗料。
【請求項７】
前記第１の材料として次亜塩素酸ナトリウム、前記第２の材料としてε−カプロラクタム、前記第３の材料として２−ピロリドンを含むことを特徴とする請求項１記載の添加剤。
【請求項８】
請求項７記載の添加剤を、０．５ｗｔ％〜５％の範囲で含むことを特徴とする粘着剤。
【発明の詳細な説明】
【技術分野】
【０００１】
この発明は、有害物質としてのホルムアルデヒドを効率的に分解除去可能な添加剤とこの添加剤を用いた塗料及び粘着剤に関する。
【背景技術】
【０００２】
特許文献１，２，３は、それぞれ室内の床、壁面、天井、家具などに使用される合板やビニル壁紙に塗布され、これらから揮発するホルミアルデヒドや可塑剤類などの有害物質を吸着又は分解する塗膜を形成し、さらに塗布時にも揮発性有機化合物の揮散の少ない室内汚染対策用塗料を開示する。
【０００３】
特許文献４は、ホルムアルデヒド等のＶＯＣに対する分解性に優れている塗膜を形成することを可能にするために、水性合成樹脂エマルジョン及び光触媒活性を有する酸化チタンを含有し、水性エマルジョン塗料中での顔料のＰＷＣが４０〜９５であることを特徴とするものである。
【特許文献１】特開２０００−９５９７９号公報
【特許文献２】特開２０００−９５９８０号公報
【特許文献３】特開２００２−３３８８９７号公報
【特許文献４】特開２００５−１４６２９３号公報
【発明の開示】
【発明が解決しようとする課題】
【０００４】
しかしながら、上述したような従来の塗料等では、ＪＩＳ  Ｋ５６０１−４−１「塗料成分試験方法−塗膜からの放散成分分析−第１節ホルムアルデヒド」の３．デジケーター法によるホルムアルデヒド放散量試験において、ホルムアルデヒド放散量をＦ４（０．１ｍｇ／リットル以下）にすることは困難であった。
【０００５】
そのため、この発明は、ホルムアルデヒド放散量試験において、ホルムアルデヒド放散量を０．１ｍｇ／リットル以下に低減することのできる添加剤とこの添加剤を用いた塗料及び粘着剤を提供することにある。
【課題を解決するための手段】
【０００６】
したがって、この発明に係る添加剤は、塗料、インク、接着剤、絵の具、粘着剤等に添加され、ホルムアルデヒドを分解除去する添加剤であって、漂白効果を有する物質からなる第１群より選択された第１の材料、窒素官能化合物から選択された第２群より選択された第２の材料、前記第２群以外の窒素含有化合物からなる第３群より選択された第３の材料及び溶剤からなることにある。
【０００７】
また、前記第１群は、次亜塩素酸ナトリウム（Ｎ２ＣｌＯ２）、二酸化塩素（ＣｌＯ２）、塩素酸ナトリウム（ＮａＣｌＯ３）、苛性ソーダ（ＮａＯＨ）、過酸化水素（Ｈ２Ｏ２）、リン酸ナトリウム（Ｎａ３ＰＯ４）、リン酸水素カルシウム（ＣａＨＰＯ４）を少なくとも含み、前記第２群は、コハク酸イミド（Ｃ４Ｈ５ＮＯ２）、トリエタノールアミン（Ｃ６Ｈ１５ＮＯ３）、ε−カプロラクタム（Ｃ６Ｈ１１ＮＯ）、Ｎ−メチル−２−ピロリドン（Ｃ５Ｈ９ＮＯ）及びテトラヒドロ−２−ピリミジノン（Ｃ４Ｈ８Ｎ２Ｏ）を含み、前記第３群は、エチレン尿素（Ｃ３Ｈ６Ｎ２Ｏ）、２−ピロリドン（Ｃ４Ｈ７ＮＯ）、ＮＮジエチル尿素（Ｃ５Ｈ１２Ｎ２Ｏ）、βピコリン（Ｃ６Ｈ７Ｎ）を少なくとも含むことが望ましい。また、第２群に代えて、エピクロロヒドリン（Ｃ３Ｈ５ＣｌＯ）を用いることもできる。
【０００８】
さらに、添加剤は、前記第１の材料として二酸化塩素、前記第２の材料としてコハク酸イミド、第３の材料としてエチレン尿素を含むことが望ましい。さらに、前記第１の材料として二酸化塩素、前記第２の材料としてコハク酸イミド、第３の材料として２−ピロリドンを含むものであっても良く、前記第１の材料として次亜塩素酸ナトリウム、前記第２の材料としてコハク酸イミド、前記第３の材料としてエチレン尿素を含むものであっても良い。さらにまた、塗料は、前記添加剤を、０．５ｗｔ％〜５％の範囲で含むことが望ましい。
【０００９】
さらに塗料への添加剤としては、具体的には、前記添加剤は、前記第１の材料として二酸化塩素１５〜４５部、前記第２の材料としてコハク酸イミド５〜２０部、第３の材料としてエチレン尿素１０〜４５部を含み、さらにこれらの材料の混合物の容量合計の１〜３０％の溶剤、好ましくは３−メトキシ−３−メチル−１−ブタノール、商品名ソルフィットを付加することが望ましい。
【００１０】
また、塗料への添加剤としては、前記第１の材料として二酸化塩素４０〜４５部、前記第２の材料としてコハク酸イミド１０〜２０部、第３の材料として２−ピロリドン１０〜４５部を含み、さらに溶剤としてブタノンを容量合計の１０〜４０％を付加することが望ましい。
【００１１】
さらにまた、塗料への添加剤としては、前記第１の材料として次亜塩素酸ナトリウム４０〜４５部、前記第２の材料としてコハク酸イミド１０〜２０部、前記第３の材料としてエチレン尿素１０〜４５部を含み、溶剤としてエタノールを１０〜５０％付加するものであっても良い。
【００１２】
また、添加剤は、前記第１の材料として次亜塩素酸ナトリウム、前記第２の材料としてε−カプロラクタム、前記第３の材料として２−ピロリドンを含むものであっても良い。また粘着剤は、この添加剤を、０．５ｗｔ％〜５％の範囲で含むことが望ましい。
【００１３】
さらに粘着剤への添加剤としては、具体的には、前記第１の材料として次亜塩素酸ナトリウム４０〜４５部、前記第２の材料としてε−カプロラクタム１０〜２０部、前記第３の材料として２−ピロリドン４０〜４５部を含み、溶剤としてヘキサンを容量合計の１０〜５０％付加するものが好ましい。
【００１４】
さらに、溶剤としては、添加剤が添加される物質の溶剤と同じかその溶剤との相性の良い溶剤を選択することが望ましい。したがって、溶剤としては、アルコール、メタノール、エタノール、ブタノール等のアルコール類、ケトン類、エステル及びエーテル等のエステル類、酢酸メチル等の炭化水素類、ブタノン、ヘキサン、ミネラルスピリット、ソルフィット（商標：３−メトキシ−３−メチル−１−ブタノール）等がある。
【発明の効果】
【００１５】
本発明の３種類の主成分に所定の割合の溶剤を添加することによって作製された添加剤を、塗料等に用いることによってホルムアルデヒド放散量をＦ４のランク（０．１ｍｇ／リットル以下）まで低減することができるので、シックハウス症候群の原因を完全に解消することができるものである。
【発明を実施するための最良の形態】
【００１６】
この発明に係る添加剤は、塗料、インク、接着剤、粘着剤等に添加され、ホルムアルデヒドを分解除去するために、漂白効果を有する物質からなる第１群より選択された第１の材料、窒素官能化合物から選択された第２群より選択された第２の材料、前記第２群以外の窒素含有化合物からなる第３群より選択された第３の材料及び溶剤からなる添加剤である。
【００１７】
また、前記第１群は、次亜塩素酸ナトリウム（Ｎ２ＣｌＯ２）、二酸化塩素（ＣｌＯ２）、塩素酸ナトリウム（ＮａＣｌＯ３）、苛性ソーダ（ＮａＯＨ）、過酸化水素（Ｈ２Ｏ２）、リン酸ナトリウム（Ｎａ３ＰＯ４）、リン酸水素カルシウム（ＣａＨＰＯ４）を少なくとも含み、前記第２群は、コハク酸イミド（Ｃ４Ｈ５ＮＯ２）、トリエタノールアミン（Ｃ６Ｈ１５ＮＯ３）、ε−カプロラクタム（Ｃ６Ｈ１１ＮＯ）、Ｎ−メチル−２−ピロリドン（Ｃ５Ｈ９ＮＯ）及びテトラヒドロ−２−ピリミジノン（Ｃ４Ｈ８Ｎ２Ｏ）を含み、前記第３群は、エチレン尿素（Ｃ３Ｈ６Ｎ２Ｏ）、２−ピロリドン（Ｃ４Ｈ７ＮＯ）、ＮＮジエチル尿素（Ｃ５Ｈ１２Ｎ２Ｏ）、βピコリン（Ｃ６Ｈ７Ｎ）を少なくとも含むものである。また、第２群に代えて、エピクロロヒドリン（Ｃ３Ｈ５ＣｌＯ）を用いることもできる。
【実施例１】
【００１８】
実施例１に係る添加剤は、第１の材料として二酸化塩素１０ｃｃ、第２の材料としてコハク酸イミド１．５ｇ、第３の材料としてエチレン尿素１０ｃｃ、溶剤として合計容量の２％の３−メトキシ−３−メチル−１−ブタノールを配合したものである。
【００１９】
測定法として、１．ガラス板１０ｃｍ角の表面１面に添加剤を塗布し、テトラパック１０リットル内に裏面を上にして中心に放置し、密封後ホルムアルデヒド混合気体を封入する。測定器は、ＪＭＳ社製厚生省認可番号第１６０２号を用いて、測定物（配合例）原液ホルムアルデヒド低減テストを行った。その結果は以下の通りである。
【００２０】
【表１】
2007186575.tif 000002
【００２１】
以上のように、実施例１に係る添加剤の場合は、ホルムアルデヒド封入後約１時間で目標を達成したことがわかる。
【実施例２】
【００２２】
実施例２に係る添加剤は、第１の材料として二酸化塩素１０ｃｃ、第２の材料としてコハク酸イミド１．０ｇ、第３の材料として２−ピロリドン１０ｃｃ、溶剤として合計容量の１０％のブタノンを配合したものである。この添加剤を上記と同様の方法で、測定物（配合例）原液ホルムアルデヒド低減テストを行った。その結果は以下の通りである。
【００２３】
【表２】
2007186575.tif 000003
【００２４】
以上のように、実施例２に係る添加剤の場合は、ホルムアルデヒド封入後約８時間、再封入後約２．５時間で目標を達成したことがわかる。
【実施例３】
【００２５】
実施例３に係る添加剤は、第１の材料として次亜塩素酸ナトリウム１０ｃｃ、第２の材料としてコハク酸イミド２．０ｇ、第３の材料としてエチレン尿素１０ｃｃ、溶剤として合計容量の１０％のエタノールを配合したものである。この添加剤を上記と同様の方法で、測定物（配合例）原液ホルムアルデヒド低減テストを行った。その結果は以下の通りである。
【００２６】
【表３】
2007186575.tif 000004
【００２７】
以上のように、実施例３に係る添加剤の場合は、ホルムアルデヒド封入後約７時間で目標を達成したことがわかる。
【実施例４】
【００２８】
実施例３に係る添加剤は、第１の材料として次亜塩素酸ナトリウム（ＣｌＯ２）１０ｃｃ、第２の材料としてコハク酸イミド２．０ｇ、第３の材料としてエチレン尿素１０ｃｃ、溶剤として合計容量の１０％のエタノールを配合したものである。この添加剤を上記と同様の方法で、測定物（配合例）原液ホルムアルデヒド低減テストを行った。その結果は以下の通りである。
【００２９】
【表４】
2007186575.tif 000005
【００３０】
以上のように、実施例４に係る添加剤の場合は、ホルムアルデヒド封入後約１５分で目標を達成したことがわかる。